(57)【要約】【課題】取付け作業が簡単であり、増し締めを直接阻止することができ、取外し作業が容易である、安価なボルト係止具を提供する。【解決手段】ボルト係止具１は、内筒クリップ３と、内筒クリップに連結される外筒クリップ２の２部品で成り、内筒クリップ３と外筒クリップ２とを軸方向には移動できないが軸心回りに回転できるように連結するため内筒クリップ２のフランジ１１とロック爪２５が外筒クリップ２のネック部１３を挟持し、内筒クリップ３が外筒クリップ２対して取外し方向に回転できるが増し締め方向には回転できないように、ラチェット１７とラチェット係止爪１９が形成され、ラチェット１７は外筒クリップの内壁面１４とネック部１３とに強固に連結されて増し締め方向への回転阻止力を高く維持し、他方で、ラチェット１７は、内壁面１４の周方向に沿った先端の部分が半径方向内側に撓む可撓性を有する。【選択図】図１
2009180306.tif 000002
【特許請求の範囲】
【請求項１】
外周面にねじが形成されたスタッドボルト等のボルトに係止する、ボルト係止具であって、
前記ボルトを受入れて該ボルトに係止する、中空の内筒クリップと、該内筒クリップを受入れて該内筒クリップに連結される、中空の外筒クリップとの２部品で成り、
前記外筒クリップは、半径方向内側に延び且つ前記内筒クリップを受入れる穴が形成されたネック部を有し、前記内筒クリップは、前記ネック部の穴より小さい外径の筒状のスタッドボルト収容部と、該スタッドボルト収容部の一端側に前記ネック部の穴より大きい直径のフランジとを備え、前記スタッドボルト収容部の外面には、該スタッドボルト収容部が前記ネック部に挿入された状態で前記ネック部を前記フランジと協働して挟持して、前記内筒クリップと前記外筒クリップとを軸方向には移動できないが軸心回りに回転できるように連結するロック手段が形成されており、
前記内筒クリップが前記外筒クリップに対して前記連結状態において軸心回りの一の方向に回転できるが反対方向には回転できないように、前記外筒クリップの内壁面にはラチェットが形成され、前記スタッドボルト収容部の外周面にはラチェット係止爪が形成されて、前記内筒クリップの前記反対方向への回転のとき前記ラチェット係止爪の先端が前記ラチェットの先端に当接して該反対方向への回転を阻止しており、
前記ラチェットは、前記外筒クリップの内壁面の周方向に沿って且つ前記ネック部の表面に沿って延びており、該ラチェットの根元の部分は前記内壁面に一体に形成され且つ前記ネック部に隣接する該ラチェットの側縁が該ネック部表面に一体に形成されており、更に、該ラチェットは、前記ネック部表面とは反対側の側縁であって前記外筒クリップ内壁面の周方向に沿った先端の部分が半径方向内側に撓む可撓性を有する、
ことを特徴とするボルト係止具。
【請求項２】
請求項１に記載のボルト係止具において、前記内筒クリップが前記外筒クリップに対して前記反対方向へ回転するとき前記ラチェットの周方向の前記先端は前記ラチェット係止爪の周方向の前記先端に当接して該反対方向への回転を阻止しており、前記ラチェットの周方向の前記先端の端面が広い面積を有するように形成されて、前記ラチェット係止爪の周方向の前記先端との当接を確実にしている、ことを特徴とするボルト係止具。
【請求項３】
請求項１又は２に記載のボルト係止具において、前記内筒クリップが前記外筒クリップに対して前記一の方向へ回転するとき前記ラチェットの半径方向内側の面が前記ラチェット係止爪の半径方向外側の面に当接して、前記ラチェットの半径方向内側の面は半径方向外側に撓み且つ前記ラチェット係止爪の半径方向外側の面は半径方向内側に撓み、前記内筒クリップが前記外筒クリップに対して前記一の方向への回転を可能にしている、ことを特徴とするボルト係止具。
【請求項４】
請求項１〜３のいずれか１項に記載のボルト係止具において、前記ロック手段は、前記スタッドボルト収容部の外面に、前記フランジに向けて半径方向外方に広がるように斜めに延びて形成された一対のロック爪である、ことを特徴とするボルト係止具。
【請求項５】
請求項１〜３のいずれか１項に記載のボルト係止具において、前記ラチェット係止爪は前記スタッドボルト収容部の外面に前記フランジに向けて半径方向外方に広がるように斜めに延びており、該ラチェット係止爪が前記ロック手段である、ことを特徴とするボルト係止具。
【請求項６】
請求項１〜５のいずれか１項に記載のボルト係止具において、前記ラチェットは、前記外筒クリップの内壁面に、周方向に等間隔で６個配置されており、前記ラチェット係止爪は、前記スタッドボルト収容部の外面の周方向に１８０度の間隔で一対形成されている、ことを特徴とするボルト係止具。
【請求項７】
請求項１〜６のいずれか１項に記載のボルト係止具において、前記スタッドボルト収容部の内側には、前記ボルトのねじに係止するボルト係止爪が一対形成されている、ことを特徴とするボルト係止具。
【請求項８】
請求項７に記載のボルト係止具において、前記内筒クリップが前記外筒クリップに対して回転できる前記一の方向は、前記ボルト係止爪が係止する前記ボルトのねじの緩み方向となる取外し方向である、ことを特徴とするボルト係止具。
【請求項９】
請求項７又は８に記載のボルト係止具において、前記内筒クリップが前記外筒クリップに対して回転できない前記反対方向は、前記ボルト係止爪が係止する前記ボルトのねじに対する増し締め方向である、ことを特徴とするボルト係止具。
【請求項１０】
請求項７〜９のいずれか１項に記載のボルト係止具において、前記ボルトは、パネル等の被取付部材に立設されたスタッドボルトであり、前記外筒クリップの外側にはハウジングが設けられており、該ハウジングは、前記被取付部材に対して外筒クリップをスタッドボルトの軸回りに回転するのを阻止するように、固定されている、ボルト係止具。
【発明の詳細な説明】
【技術分野】
【０００１】
本発明は、外周面にねじが形成されたスタッドボルト等のボルトに係止する、ボルト係止具に関する。
【背景技術】
【０００２】
外周面にねじが形成されたスタッドボルト等のボルトに係止する、ボルト係止具は、例えば、特許文献１（実開平２−０８７１８７号公報）等に記載のように知られている。特許文献１に記載のボルト係止具は、スタッドボルトへ押込むことでスタッドボルトが固着したパネル等の被取付部材に固定できるので、取付け作業が簡便であり容易である。
【０００３】
【特許文献１】実開平２−０８７１８７号公報
【特許文献２】特開平１１−０９３２３８号公報
【特許文献３】特開平９−２４２７２９号公報
【発明の開示】
【発明が解決しようとする課題】
【０００４】
特許文献１に記載のようなボルト係止具は、スタッドボルトへ係止した後において、スタッドボルトへの係止強度を高くするため、スタッドボルトのねじに対する増し締め方向にスクリュードライバ等で回転することがある。その場合に、増し締めが強すぎると、ボルト係止具に設けられたボルト係止爪にねじ山から強い荷重が加わって破損することがあった。ボルト係止爪が破損すると、ボルト係止具がスタッドボルトから外れるので好ましくない。従って、強い増し締めを直接阻止できるのが好ましい。
【０００５】
特許文献２には、過剰な締め付けを行えないように、ラチェット機構を設けたプラスチック製の２部品で成るナットが記載されている。このナットは、過剰な締め付け力が作用した場合、ラチェット機構によって空転してその過剰な締め付け力によるねじの破損を防止している。このナットでは、過剰な締め付けを直接阻止するのではなく、空転によって過剰な締め付けを防止している。従って、空転のための機構が複雑であり、コストが高くなる。更に、このナットは、特許文献１のボルト係止具のように、押込みによってボルトに係止することができる構成はない。
【０００６】
特許文献３には、締め付けトルクが過度になると空転して過度のねじ込みを防止するトルクナットが記載されている。このトルクナットも、過剰なトルクによる締め付けを直接阻止するのでなく、空転によって過剰なトルクによる締め付けを防止している。また空転のための機構が複雑であり、コストが高くなる。更に、このナットも、特許文献１のボルト係止具のように、押込みによってボルトに係止することができる構成はない。
【０００７】
従って、本発明の目的は、取付け作業が簡単であり、増し締めを直接阻止することができ、取外し作業が容易である、安価なボルト係止具を提供することにある。
【課題を解決するための手段】
【０００８】
上記目的を達成するため、本発明によれば、外周面にねじが形成されたスタッドボルト等のボルトに係止する、ボルト係止具であって、前記ボルトを受入れて該ボルトに係止する、中空の内筒クリップと、該内筒クリップを受入れて該内筒クリップに連結される、中空の外筒クリップとの２部品で成り、前記外筒クリップは、半径方向内側に延び且つ前記内筒クリップを受入れる穴が形成されたネック部を有し、前記内筒クリップは、前記ネック部の穴より小さい外径の筒状のスタッドボルト収容部と、該スタッドボルト収容部の一端側に前記ネック部の穴より大きい直径のフランジとを備え、前記スタッドボルト収容部の外面には、該スタッドボルト収容部が前記ネック部に挿入された状態で前記ネック部を前記フランジと協働して挟持して、前記内筒クリップと前記外筒クリップとを軸方向には移動できないが軸心回りに回転できるように連結するロック手段が形成されており、前記内筒クリップが前記外筒クリップに対して前記連結状態において軸心回りの一の方向に回転できるが反対方向には回転できないように、前記外筒クリップの内壁面にはラチェットが形成され、前記スタッドボルト収容部の外周面にはラチェット係止爪が形成されて、前記内筒クリップの前記反対方向への回転のとき前記ラチェット係止爪の先端が前記ラチェットの先端に当接して該反対方向への回転を阻止しており、前記ラチェットは、前記外筒クリップの内壁面の周方向に沿って且つ前記ネック部の表面に沿って延びており、該ラチェットの根元の部分は前記内壁面に一体に形成され且つ前記ネック部に隣接する該ラチェットの側縁が該ネック部表面に一体に形成されており、更に、該ラチェットは、前記ネック部表面とは反対側の側縁であって前記外筒クリップ内壁面の周方向に沿った先端の部分が半径方向内側に撓む可撓性を有する、ことを特徴とするボルト係止具が提供される。
【０００９】
上記構成によって、スタッドボルトに係止した内筒クリップが、外筒クリップに対して一の方向と反対の方向すなわち増し締め方向に回転した場合、ラチェットとラチェット係止爪とによってその回転が直接阻止され、外筒クリップが回転できないようになっていれば、内筒クリップはその増し締め方向への回転ができなくなり、増し締めを直接阻止することができ、また、内筒クリップをスタッドボルトへ押込むだけで、スタッドボルトへの係止が簡単にでき、更に、内筒クリップを取外し方向へ回転するのは自由にできるので、取外し作業が容易である。更に、ボルト係止具の構成は、ラチェットを持つ外筒クリップとラチェット係止爪を有する内筒クリップとの簡単な構造の２部品で成るので、安価に提供される。
【００１０】
上記ボルト係止具において、前記内筒クリップが前記外筒クリップに対して前記反対方向へ回転するとき前記ラチェットの周方向の前記先端は前記ラチェット係止爪の周方向の前記先端に当接して該反対方向への回転を阻止しており、前記ラチェットの周方向の前記先端の端面が広い面積を有するように形成されて、前記ラチェット係止爪の周方向の前記先端との当接を確実にしている。前記内筒クリップが前記外筒クリップに対して前記一の方向へ回転するとき前記ラチェットの半径方向内側の面が前記ラチェット係止爪の半径方向外側の面に当接して、前記ラチェットの半径方向内側の面は半径方向外側に撓み且つ前記ラチェット係止爪の半径方向外側の面は半径方向内側に撓み、前記内筒クリップが前記外筒クリップに対して前記一の方向への回転を可能にしている。前記ロック手段は、前記スタッドボルト収容部の外面に、前記フランジに向けて半径方向外方に広がるように斜めに延びて形成された一対のロック爪である。これとは別に、前記ラチェット係止爪は前記スタッドボルト収容部の外面に前記フランジに向けて半径方向外方に広がるように斜めに延びており、該ラチェット係止爪が前記ロック手段であってもよい。前記ラチェットは、前記外筒クリップの内壁面に、周方向に等間隔で６個配置されており、前記ラチェット係止爪は、前記スタッドボルト収容部の外面の周方向に１８０度の間隔で一対形成されている。
【００１１】
また、上記ボルト係止具において、前記スタッドボルト収容部の内側には、前記ボルトのねじに係止するボルト係止爪が一対形成されている。前記内筒クリップが前記外筒クリップに対して回転できる前記一の方向は、前記ボルト係止爪が係止する前記ボルトのねじの緩み方向となる取外し方向である。前記内筒クリップが前記外筒クリップに対して回転できない前記反対方向は、前記ボルト係止爪が係止する前記ボルトのねじに対する増し締め方向である。前記ボルトは、パネル等の被取付部材に立設されたスタッドボルトであり、前記外筒クリップの外側にはハウジングが設けられており、該ハウジングは、前記被取付部材に対して外筒クリップをスタッドボルトの軸回りに回転するのを阻止するように、固定されているのが好ましい。
【発明を実施するための最良の形態】
【００１２】
以下、本発明の１実施形態に係るボルト係止具１について、図面を参照して説明する。ボルト係止具１は、図１に図示のように、プラスチック製の外筒クリップ２とプラスチック製の内筒クリップ３の２部品で成る。内筒クリップ３は、図１の矢印５に示すように、外筒クリップ２の中空部分に挿入されて、外筒クリップ２に組付けられる。内筒クリップ３は、外筒クリップ２に対し、軸方向には移動しないが軸回りには回転できるように連結されるが、内筒クリップ３と外筒クリップ２とには、連結状態で、軸心回りには一の方向（取外し方向）に回転できるが反対方向（増し締め方向）には回転できない構成が設けられている。外筒クリップ２及び内筒クリップ３は、それぞれ、硬質プラスチックで一体成形される。なお、図示の実施形態において、外筒クリップ２には、外側に取付部品の保持等のためのハウジング６が一体に成形されている。ハウジング６は必須ではない。ハウジング６は、スタッドボルト１０が立設されたパネル７等の被取付部材に対して外筒クリップ２を、スタッドボルト１０の軸回りに回転するのを阻止するように、固定されているのが好ましい。図２〜図５には、内筒クリップ３と外筒クリップ２とが連結された組付状態のボルト係止具１が示されている。図６は、ボルト係止具１を用いて、被取付部材であるパネル７に取付部品９を取付けた例を示している。図６において、パネル７にはスタッドボルト１０が立設され、パネル７の上には取付部品９が配置され、スタッドボルト１０にはボルト係止具１が係止して、パネル７に取付部品９が固定される。図７〜図９は、ボルト係止具１をスタッドボルト等のボルトから取外す場合を示している。
【００１３】
図１〜図５を参照して、外筒クリップ２と内筒クリップ３の２部品で成る、ボルト係止具１の詳細を説明する。外筒クリップ２は、全体形状が、内筒クリップ３を受入れて保持する中空の円筒形状に形成されている。上記のように、図示の実施形態においては、取付部品９の保持等のために、ハウジング６が、外筒クリップ２の外側の１側面に一体的に形成されている。外筒クリップ２は、内筒クリップ３を受入れるように筒状に形成されている。詳細には、外筒クリップ２の下部側は、内筒クリップ３を受入れるように内筒クリップ３より大径の筒状に形成されている。外筒クリップ２の中間高さ位置の部分には、円筒の壁部１４から半径方向内側に延び、中心に穴１２を有する円環形状のネック部１３が形成されている。ネック部１３の穴１２は、内筒クリップ３の下端のフランジ１１の直径より小径であるが、内筒クリップ３の他の部分の直径より大径に形成されている。ネック部１３より上部側の外筒クリップの部分は、下部側の部分と同様に、内筒クリップ３より大径の筒状に形成され、この筒状の部分には内筒クリップ３が収容される。
【００１４】
ネック部１３の上部面１５には、内筒クリップ３が軸回りにおいて１の方向（取外し方向）へ回転するのを許すが反対方向（増し締め方向）へ回転するのを阻止するように、壁部１４の周方向に延びるラチェット１７が、壁部１４の内周方向に等間隔に６個形成されている。各ラチェット１７は、根元の部分が壁部１４の内壁面に一体に形成され、また、ネック部１３側の側縁が上部面１５に一体に形成されている。従って、ラチェット１７の強度は、根元の部分だけが壁部１４の内壁面に一体に形成された片持ちばり形状の場合より高く維持されて回転阻止力が高く、ネック部１３側の側縁だけが上部面１５に一体に形成されて２面で外筒クリップ２に連結されているだけなので、他の部分（すなわち周方向における先端部分であってネック部とは反対側の側縁の部分）における可撓性は維持される。各ラチェット１７は、壁部１４の一方の周方向であって半径方向内側に向けて斜めに延びる弾性片として形成されており、壁部１４にもネック部１３にも連結されていない端部部分は、内筒クリップ３のラチェット係止爪１９による押出し力によって半径方向外側に撓むことができる。更に、各ラチェット１７の自由端の端面１８（すなわち壁部１４と反対側の端部の端面１８）は、その面積が広くなるように形成され（図５に最もよく示される）、内筒クリップ３のラチェット係止爪１９の端面との係合を確実にする。
【００１５】
内筒クリップ３は、図１〜図５に示すように、上端の多角形（図示の例では、六角形）の頭部２１と、下端のフランジ１１と、頭部２１とフランジ１１の間に形成された、筒状のスタッドボルト収容部２２とを有する。内筒クリップ３は、頭部２１の直径とスタッドボルト収容部２２の部分の直径とは、外筒クリップ２のネック部１３の穴１２の直径よりやや小さく形成されて、頭部２１とスタッドボルト収容部２２とは、矢印５のように、ネック部１３の穴１２を通ることができ、これによって、内筒クリップ３が外筒クリップ２に連結され（組付けられ）る。フランジ１１の直径は、外筒クリップ２のネック部１３の穴１２の直径より大きいが、外筒クリップ２の下部側の円筒の内径よりやや小さく形成されて、外筒クリップ２の下部側には収容されるが、ネック部１３を通ることができない。スタッドボルト収容部２２は、内側にスタッドボルトを収容する空間を有する中空の筒状体として形成される。スタッドボルト収容部２２の内側には、スタッドボルトのねじ山又は谷に係合する、一対のボルト係止爪２３（図１に一方のボルト係止爪が、図４に他方のボルト係止爪が示される）が形成される。スタッドボルト収容部２２は、全体の輪郭としては、六角形の頭部２１の形状に合わせて六角形の筒状体に形成される。スタッドボルト収容部２２は、ボルト係止爪２３の形成のために、また、材料の節約と軽量化のために、側壁部分は、筒状体を維持できる程度に開口や窓が形成された開放部分の多い形状に形成されている。
【００１６】
スタッドボルト収容部２２の外周面には、中間高さ位置の部分からフランジ１１に向けて半径方向外方に広がりつつ延び且つ外周方向に所定の方向に延びて、外周面に１８０度の間隔で配置された一対のラチェット係止爪１９が形成される。各ラチェット係止爪１９は、ラチェット１７に対して、内筒クリップ３が軸回りにおいて１の方向（取外し方向）へ回転するのを許すが反対方向（増し締め方向）へ回転するのを阻止するように、スタッドボルト収容部２２の一の外周方向に沿って延びている。各ラチェット係止爪１９は、スタッドボルト収容部２２に連結されていない周方向における端部部分は、ラチェット１７の側面に当接したときそのラチェット１７による押出し力によって半径方向内側に撓むことができる可撓性を有する。この可撓性又は弾性を得るために、図４に示されるように、ラチェット係止爪１９の下端とスタッドボルト収容部２２の外周面との間に空間２６が形成されている。更に、ラチェット係止爪１９は、周方向における根元の部分と長手方向における根元の部分とがスタッドボルト収容部２２の外周面に一体に形成されており、周方向における根元の部分だけが外周面に一体に形成された片持ちばり形状の場合よりも高く維持され、高い回転阻止力が得られる。
【００１７】
スタッドボルト収容部２２の外面には、ラチェット係止爪１９の根元部分に隣接してフランジ１１に向けて半径方向外方にひろがりつつ斜めに延びる、ロック手段としての、一対のロック爪２５が形成されている。ラチェット係止爪１９及びロック爪２５は、外筒クリップ２のネック部１３の穴１２の直径より、半径方向においてやや外方に広がっているが、内筒クリップ３のスタッドボルト収容部２２がネック部１３の穴１２を通るとき、半径方向内側に撓んで、ネック部１３の穴１２を通る可撓性又は弾性を有する。上記のように、この可撓性又は弾性を得るためにラチェット係止爪１９には、下端とスタッドボルト収容部２２の外面との間に空間２６（図４）が形成されている。同様に、ロック爪２５の先端（図１の下端）側が自由端となって、先端とスタッドボルト収容部２２の間には空間が形成されている。
【００１８】
ラチェット係止爪１９及びロック爪２５は、いずれも、その弾性によって、内筒クリップ３のスタッドボルト収容部２２がネック部１３の穴１２を通り終えると、半径方向外側に張り出す姿勢に復帰する。ロック爪２５が半径方向外側に張り出す姿勢に復帰することによって、外筒クリップ２のネック部１３がフランジ１１とロック爪２５とで挟持されることになり、内筒クリップ３が、外筒クリップ２に対して、軸方向には移動しないが軸回りには回転できるように連結される。なお、ラチェット係止爪１９に、ロック爪２５の機能（すなわち、ネック部１３をフランジ１１と協働して挟持すること）を与えることもでき、その場合には、ラチェット係止爪１９がロック手段となり、ロック爪２５を省略することができる。なお、ラチェット係止爪１９の周方向における先端面２９は、図４の斜線部分３０及び図５に図示のように、ラチェット１７の端面１８に確実に係合してその係合面積を大きくできる位置及び大きさに形成される。
【００１９】
頭部２１は、レンチ等によって回転可能なように、多角形（六角形）に形成されるのが好ましい。これによって、ボルト係止具１を取外すとき、レンチ等の工具で、内筒クリップ３を取外し方向に軸回りに回転できる。更に、コイン又はスクリュードライバ等によって回転できるように、頭部２１の上面には、溝２７が形成されている。この溝２７は、図示のマイナス（直線）溝に限られず、プラスドライバ等に係合する十字溝でもよい。
【００２０】
上記構成のボルト係止具１を用いて、被取付部材であるパネル７に取付部品９を取付けた状態が図６に示されている。図６において、パネル７にはスタッドボルト１０が溶接等によって立設されている。取付部品９は、その取付穴３１がスタッドボルト１０を受入れるように位置合わせされて、パネル７に配置される。外筒クリップ２に内筒クリップ３が組付けられたボルト係止具１は、内筒クリップ３のスタッドボルト収容部２２にスタッドボルト１０を受入れるように位置決めされて、そのまま押込められる。内筒クリップ３のボルト係止爪２３は、スタッドボルト１０のねじ山に係合しながら下方に移動して、外筒クリップ２の下端が取付部品９に当接する。このとき、一対のボルト係止爪２３は、スタッドボルト１０のねじ山又は谷に係合しており、これによって、ボルト係止具１が、スタッドボルト１０に固定されるとともに、外筒クリップ２の下端が取付部品９に当接された状態になるので、取付部品９がパネル７に取付けられる。
【００２１】
作業者は、取付部品９をパネル７に強固に取付けるため、増し締めを行うことがある。ボルト係止具１は、その増し締めを阻止することができる。図３を参照して説明する。増し締めのために、作業者は内筒クリップ３の頭部２１にレンチ又はコイン等で、内筒クリップ３をその軸回りに図３の矢印３３の方向に回転させようとする。内筒クリップ３が矢印３３の方向に回転させられると、ラチェット係止爪１９の端面２９がラチェット１７の端面１８に当接する。ラチェット１７の端面１８は大面積に形成され、ラチェット係止爪１９の端面２９も十分に広い面積であるから、ラチェット係止爪１９とラチェット１７の当接は確実に行われる（図４の斜線部分３０及び図５参照）。かかる当接によって、内筒クリップ３は外筒クリップ２に対して軸回りに回転するのが阻止される。ラチェット１７は、根元部分が壁部１４の内壁面に、ネック部１３の上部面１５側の側縁がネック部１３に、一体に形成されて、ラチェット１７の固着強度は高く、回転阻止力は高い。同様に、ラチェット係止爪１９は、周方向における根元の部分と長手方向における根元の部分とがスタッドボルト収容部２２の外周面に一体に形成されており、周方向における根元の部分だけが外周面に一体に形成されてラチェット係止爪１９の固着強度は高く、回転阻止力も高い。外筒クリップ２がパネル７（又は取付部品９）に対して外筒クリップ２の軸回りに回転できない構成又は取付状態である場合、内筒クリップ３は矢印３３の方向に回転することができない。外筒クリップ２をパネル７（又は取付部品９）に対して外筒クリップ２の軸回り回転できないようにするため、例えば、ハウジング６をパネル７（又は取付部品９）に対して固定してもよい。これによって、作業者が増し締めのために内筒クリップ３を回転するのを阻止することができる。このように、内筒クリップ３は、外筒クリップ２に対して増し締め方向に回転しようとしても回転できないので、外筒クリップ２が回転できない状態であれば、確実に作業者の増し締めが阻止される。
【００２２】
図６のようにスタッドボルト１０に固定されたボルト係止具１を取外す操作を、図７〜図９を参照して説明する。説明の便宜上、図７〜図９には、スタッドボルトが除去されているが、実際には、図６に示すスタッドボルト１０が内筒クリップ３に収容されている。ボルト係止具１を取外すには内筒クリップ３を、スタッドボルトのねじの緩み方向すなわち取外し方向に軸回りに回転させればよい。取外し操作では、内筒クリップ３の頭部２１にレンチをあてがい（又は溝２７にコイン又はスクリュードライバ等をあてがい）、図７及び図９の矢印３４の方向に、内筒クリップ３を回転させる。回転は、ラチェット１７及びラチェット係止爪１９によって阻害されることはない。ラチェット１７及びラチェット係止爪１９は、それぞれ、内筒クリップ３が軸回りにおいて１の方向（取外し方向）へ回転するのを許すが反対方向（増し締め方向）へ回転するのを阻止するように、壁部１４及びスタッドボルト収容部２２の外周面の周方向に延びて形成され、ラチェット１７は、壁部１４にもネック部１３にも連結されていない端部の部分が、内筒クリップ３のラチェット係止爪１９による押出し力によって半径方向外側に撓むことができ、ラチェット係止爪１９は、スタッドボルト収容部２２に連結されていない端部部分は、ラチェット１７の側面に当接したときそのラチェット１７による押出し力によって半径方向内側に撓むことができる。従って、図７及び図９の矢印３４の方向に内筒クリップ３が回転して、ラチェット係止爪１９の先端の側面がラチェット１７の先端の側面に当接しても相互に押されて撓み変形して、内筒クリップ３の回転は阻止されない。内筒クリップ３の回転の続行によって、内筒クリップ３のボルト係止爪２３が、スタッドボルト１０のねじ山に沿って進み、内筒クリップ３をスタッドボルト１０から引上げる方向に移動させる。この内筒クリップ３の軸方向の移動によって、外筒クリップ２も一緒に軸方向に移動し、内筒クリップ３がスタッドボルト１０から取外されると、内筒クリップ３に組付けられた外筒クリップ２も取外される。
【図面の簡単な説明】
【００２３】
【図１】本発明の１実施形態に係るボルト係止具であって、組付前の外筒クリップと内筒クリップとを示す斜視図である。
【図２】図１のボルト係止具であって、内筒クリップが外筒クリップに組付けられた後のボルト係止具の正面図である。
【図３】図２のボルト係止具の平面図である。
【図４】図３のボルト係止具のＡ−Ａ線断面図である。
【図５】図３の円Ｂの部分の拡大図である。
【図６】パネルに立設されたスタッドボルトに図４に示すボルト係止具を係止して取付部品をパネルに取付けた状態を示す図である。
【図７】スタッドボルトを除去して示す、取外し操作におけるボルト係止具の平面図である。
【図８】図７のボルト係止具のＣ−Ｃ線断面図である。
【図９】図８のボルト係止具のＤ−Ｄ線断面図である。
【符号の説明】
【００２４】
１  ボルト係止具
２  外筒クリップ
３  内筒クリップ
６  ハウジング
７  パネル
９  取付部品
１０  スタッドボルト
１１  フランジ
１２  ネック部の穴
１３  ネック部
１４  壁部
１５  ネック部上部面
１７  ラチェット
１８  ラチェット端面
１９  ラチェット係止爪
２１  頭部
２２  スタッドボルト収容部
２３  ボルト係止爪
２５  ロック爪
２６  空間
２７  溝
２９  ラチェット係止爪の端面
３０  斜面部分
３１  取付部品の取付穴
【図１】
2009180306.tif 000003
【図２】
2009180306.tif 000004
【図３】
2009180306.tif 000005
【図４】
2009180306.tif 000006
【図５】
2009180306.tif 000007
【図６】
2009180306.tif 000008
【図７】
2009180306.tif 000009
【図８】
2009180306.tif 000010
【図９】
2009180306.tif 000011